【手続補正書】
【提出日】平成27年9月11日(2015.9.11)
【手続補正１】
【補正対象書類名】特許請求の範囲
【補正対象項目名】全文
【補正方法】変更
【補正の内容】
【特許請求の範囲】
【請求項１】
太陽光発電装置において、
少なくとも１つの太陽電池セルの保護バリアを形成する被包材の中に格納された少なくとも１つの太陽電池セルと、
前記装置からの電気の供給を可能にするように動作可能なスイッチと、
同じく前記被包材の中に格納され、前記装置の改ざん時に前記装置を動作不能とする手段と、
を備え、前記装置を動作不能にする前記手段が化学スイッチを含む太陽光発電装置。
【請求項２】
前記被包材が、前記装置の前面と背面のバリア層を備える、請求項１に記載の太陽光発電装置。
【請求項３】
前記装置を動作不能にする前記手段が、陽極または陰極のいずれかの電極に近接して配置される、請求項１または２に記載の太陽光発電装置。
【請求項４】
前記装置を動作不能にする前記手段が、電極を支持する基板と前記被包材の間に配置される、請求項１または２に記載の太陽光発電装置。
【請求項５】
前記スイッチも前記被包材の中に格納されている、請求項１〜４のいずれか１項に記載の太陽光発電装置。
【請求項６】
前記スイッチが集積回路によって制御される、請求項１〜５のいずれか１項に記載の太陽光発電装置。
【請求項７】
集積回路とスイッチの一方または両方が前記太陽光発電装置の一体的構成部品である、請求項１〜６のいずれか１項に記載の太陽光発電装置。
【請求項８】
複数の太陽電池セルを備え、
前記装置を動作不能にする前記手段が、個々のセル間および／または最初および／または最後のセルとそれぞれの端子の間に配置される、請求項１〜７のいずれか一項に記載の太陽光発電装置。
【請求項９】
前記装置を動作不能にする前記手段が、前記モジュールと負荷に接続するための端子との間の接続を形成するバスバーの前にまたはその付近に配置されている、請求項１〜８のいずれか一項に記載の太陽光発電装置。
【請求項１０】
前記装置を動作不能にする前記手段が、水蒸気または酸素の進入を許容する材料を堆積することによって形成されたチャネルであって、前記スイッチが改ざんされるとおよび／または前記集積回路がある場合には前記集積回路が改ざんされると露出する前記チャネルを含む、請求項１〜９のいずれか１項に記載の太陽光発電装置。
【請求項１１】
前記チャネルが、前記被包材内で、前記少なくとも１つの太陽電池セルと対向する面に形成されたものである、請求項１０に記載の太陽光発電装置。
【請求項１２】
前記少なくとも１つの太陽電池セルの少なくとも１つの層が取り付けられる電極を支持する基板内に前記チャネルが形成されたものである、請求項１０または請求項１１に記載の太陽光発電装置。
【請求項１３】
前記チャネルがエアポケットを含むか、または空気中の成分と反応する材料で充填されている、請求項１０に記載の太陽光発電装置。
【請求項１４】
ゲッタ材料をさらに備える、請求項１３に記載の太陽光発電装置。
【請求項１５】
前記チャネルは、所望のチャネルパターンで多孔質組成物を堆積することによって形成されたものである請求項１０に記載の太陽光発電装置。
【請求項１６】
前記チャネルは、水蒸気または酸素の進入を許容する材料を堆積することによって形成されたものである請求項１０または請求項１５に記載の太陽光発電装置。
【手続補正２】
【補正対象書類名】明細書
【補正対象項目名】００８６
【補正方法】変更
【補正の内容】
【００８６】
これらの実施例は本発明を説明するものであり、当業者であれば、上記の方法のいずれかの組み合わせや変更を利用して改ざん防止ソーラモジュールシステムを提供できることがわかるであろう。
［付記１］太陽光発電装置において、少なくとも１つの太陽電池セルの保護バリアを形成する被包材の中に格納された少なくとも１つの太陽電池セルと、前記装置からの電気の供給を可能にするように動作可能なスイッチと、同じく前記被包材の中に格納され、前記装置の改ざん時に前記装置を動作不能とする、好ましくは永久的に動作不能とする手段と、を備える太陽光発電装置。
［付記２］前記被包材が、前記装置の前面と背面のバリア層を備える、付記１に記載の太陽光発電装置。
［付記３］前記装置を動作不能にする前記手段が、陽極または陰極のいずれかの電極に近接して配置される、付記１または２に記載の太陽光発電装置。
［付記４］前記装置を動作不能にする前記手段が、電極を支持する基板と前記被包材の間に配置される、付記１または２に記載の太陽光発電装置。
［付記５］前記スイッチも前記被包材の中に格納されている、付記１〜４のいずれか１項に記載の太陽光発電装置。
［付記６］前記スイッチが集積回路によって制御される、付記１〜５のいずれか１項に記載の太陽光発電装置。
［付記７］集積回路とスイッチの一方または両方が前記太陽光発電（ＰＶ）装置の一体的構成部品である、付記１〜６のいずれか１項に記載の太陽光発電装置。
［付記８］負荷に接続するための端子を備える付記１〜７のいずれか１項に記載の太陽光発電装置。
［付記９］前記装置を動作不能にする前記手段が、前記端子の上流または下流に配置される、付記８に記載の太陽光発電装置。
［付記１０］複数の、すなわち２つ、３つまたはそれ以上の太陽電池セルを備える付記１〜９のいずれか１項に記載の太陽光発電装置。
［付記１１］前記装置を動作不能にする前記手段が、個々のセル間および／または最初および／または最後のセルとそれぞれの端子の間に配置される、付記１０に記載の太陽光発電装置。
［付記１２］前記装置を動作不能にする前記手段が、前記モジュールと前記負荷への前記端子の間の接続を形成する前記バスバーの前にまたはその付近に配置される、付記１０に記載の太陽光発電装置。
［付記１３］前記装置を動作不能にする前記手段が、太陽光発電モジュールの少なくとも１つのセルを短絡させる手段を含む、付記１０〜１２のいずれか１項に記載の太陽光発電装置。
［付記１４］前記装置を動作不能にする前記手段が、あらゆるセルを短絡させる手段を含む、付記１０〜１３のいずれか１項に記載の太陽光発電装置。
［付記１５］前記装置を動作不能にする前記手段が、相互接続されたセルの電流を少なくとも部分的に抑制する手段、たとえば中断する手段を含んでいてもよい、付記１０〜１２のいずれか１項に記載の太陽光発電装置。
［付記１６］前記少なくとも１つのセルを短絡させる前記手段が、バイパスダイオードに並列接続されていてもよい、付記１０〜１５のいずれか１項に記載の太陽光発電装置。
［付記１７］前記装置を動作不能にする前記手段が、前記少なくとも１つのセルからの太陽エネルギーの収集を部分的または完全に妨害する（たとえば、遮蔽）手段を含んでいてもよい、付記１〜１６のいずれか１項に記載の太陽光発電装置。
［付記１８］前記装置を動作不能にする前記手段が、前記スイッチが改ざんされるとおよび／または前記集積回路がある場合には前記集積回路が改ざんされると露出するチャネルを含む、付記１〜１７のいずれか１項に記載の太陽光発電装置。
［付記１９］前記チャネルが、前記被包材の、前記少なくとも１つの太陽電池セルと対向する面に形成される、付記１８に記載の太陽光発電装置。
［付記２０］前記少なくとも１つの太陽電池セルの少なくとも１つの層が取り付けられる電極を支持する基板内に前記チャネルが形成される、付記１８または付記１９に記載の太陽光発電装置。
［付記２１］前記チャネルがエアポケットを含むか、または空気中の成分、たとえば酸素および／または水分と反応する材料で充填されている、付記１８に記載の太陽光発電装置。
［付記２２］ゲッタ材料、たとえば蒸発性の（フラッシュゲッタ）、バリウム、アルミニウム、マグネシウム、カルシウム、ナトリウム、ストロンチウム、セシウム、リン、ダイニックＨＧシート等の水分ゲッタ、スードケミーデシペースト（Ｓｕｄ−Ｃｈｅｍｉｅ  Ｄｅｓｉ  Ｐａｓｔｅ）、ゼオライトまたはゼオライト系粘土をさらに備える、付記２１に記載の太陽光発電装置。
［付記２３］前記装置を動作不能にする前記手段が、化学スイッチを含んでいてもよい、付記１〜２２のいずれか１項に記載の太陽光発電装置。
［付記２４］前記化学スイッチが、帯状電極と前記または１つのバスバーの間の電気接続を解消するか弱めるものである、付記２３に記載の太陽光発電装置。
［付記２５］前記化学スイッチが、バリアに穴が開いた後に酸化の結果または水（蒸気）の浸透の結果として作動されてもよい、付記２３または付記２４に記載の太陽光発電装置。
［付記２６］前記化学スイッチが、酸素または水分と反応して、前記装置の構成部品、たとえば電極材料を攻撃する侵襲性化学物質を生成する材料を備えてもよく、たとえば前記材料は白リンを含んでいてもよい、付記２３〜２５のいずれか１項に記載の太陽光発電装置。
［付記２７］前記装置を動作不能にする前記手段が、膨潤による物理的分離により前記電極と前記バスバーを電気的に分離する、水分が存在すると膨潤する材料、たとえばドライスターチ、ゲル、膨潤性ポリマ、鉱物粘土、またはこれらの組み合わせを含んでいてもよい、付記２３〜２６のいずれか１項に記載の太陽光発電装置。
［付記２８］前記装置を動作不能にする前記手段が、前記スイッチが改ざんされると漏出する、重要な接続（例えば、帯状電極と前記または１つのバスバーの間の）を確立する導電性液体を含んでいてもよい、付記１〜２７のいずれか１項に記載の太陽光発電装置。
［付記２９］前記装置を動作不能にする前記手段が、前記スイッチが改ざんされると、前記少なくとも１つのセルを短絡させる導電性液体を含んでいてもよい、付記１〜２７のいずれか１項に記載の太陽光発電装置。
［付記３０］前記導電性液体が、１−エチル−３−メチルイミドアジリウムジシアンアミド、（Ｃ２Ｈ５）（ＣＨ３）Ｃ３Ｈ３Ｎ＋２・Ｎ（ＣＮ）−２または１−ブチル−３，５−ジメチルピリジニウムブロミド等のイオン性液体、無機液体／溶剤等の電解質溶液を含んでいてもよく、たとえば溶剤は、アセトニトリル、アクリロニトリルまたはプロピオニトリル等のニトリル、ジメチル、ジエチル、エチルメチル、ベンジルメチルスルホキシド等のスホキシド、ジメチルホルムアミド等のアミド、Ｎ−メチルピロリドン等のピロリドン、またはプロピレンカーボルート等のカーボネートを含んでいてもよく、電解質塩は、四フッ化ホウ酸テトラエチルアンモニウム（（Ｅｔ）４ＮＢＦ４）ヘキサ置換グアニジウム塩等の第四級アンモニウム塩、または水銀、ガリウム、ナトリウムカリウムまたはガリンスタン等の液体金属または合金を含んでいてもよい、付記２８または付記２９に記載の太陽光発電装置。
［付記３１］改ざん時に、前記液体流を誘発するために毛管力が利用される、付記２８〜３０のいずれか１項に記載の太陽光発電装置。
［付記３２］前記装置を動作不能にする前記手段が、たとえば毛管力によってキー接続部に送達される腐食性または侵襲性の液体化学物質、化学物質またはエッチャントを含む、付記１〜３１のいずれか１項に記載の太陽光発電装置。
［付記３３］前記液体が貯蔵部に貯蔵され、改ざんにより放出される、付記２８〜３２のいずれか１項に記載の太陽光発電装置。
［付記３４］前記装置を動作不能にする前記手段が、光起動式短絡を含む、付記１３または１４に記載の装置。
［付記３５］前記装置を動作不能にする前記手段が、導光機能をさらに含む、付記３４に記載の装置。
［付記３６］前記セルを動作不能にする前記手段がＺｎＯ感光ダイオードスイッチを含む、付記３４または付記３５に記載の装置。
［付記３７］前記装置を動作不能にする前記手段が、少なくとも１つの電界効果トランジスタを含む、付記１３または１４に記載の装置。
［付記３８］前記トランジスタのドレインとソースが、少なくとも１つのソーラセルの反対の電極に接続される、付記３７に記載の装置。
［付記３９］１つのトランジスタの前記ゲートおよび複数のトランジスタの共通ゲートが改ざん防止制御ボックスによって制御される、付記３７または３８に記載の装置。
［付記４０］前記装置を動作不能にする前記手段が、少なくとも１つの切替可能ダイオードを含み、その端子が少なくとも１つのソーラセルの反対の電極に接続され、ダイオード特性から高導電性に切り替わることができる、付記１７に記載の装置。
［付記４１］前記装置を動作不能にする前記手段が、少なくとも１つの切替可能ダイオード（ダイオード特性から高導電性に切り替わる）を含み、その端子が少なくとも１つのソーラセルの反対の電極に接続され、ダイオード特性から高導電性に切り替わることができる、付記１７または１８に記載の装置。
［付記４２］前記装置を動作不能にする前記手段が、少なくとも１つの抵抗切替装置を含み、その端子が少なくとも１つのソーラセルの反対の電極に接続される、付記１７と１８に記載の装置。
［付記４３］スイッチ装置（トランジスタ、切替可能ダイオード、抵抗切替装置）が、改ざん防止制御ボックスによって供給される電気信号により制御される、付記３７〜４２に記載の装置。
［付記４４］前記装置を動作不能にする前記手段が、有機、無機、または金属薄膜に基づく、付記３４〜４２に記載の装置。
［付記４５］前記装置を動作不能にする前記手段が、コーティング、印刷、またはパターニング法により組み込まれる、付記３４または４２に記載の装置。
［付記４６］前記装置を動作不能にする前記手段が、前記スイッチが改ざんされると不透明になる材料からなる実質的に透明な層を含む、付記１７に記載の装置。
［付記４７］前記層が、ロイコ染料等の染料、たとえばクリスタルバイオレットラクトン、フェノールフタレインまたはチモールフタレインを含む、付記４６に記載の装置。
［付記４８］前記層が、１種または複数のエレクトロクロミック染料または双安定液晶を含む、付記４６に記載の装置。
［付記４９］前記装置を動作不能にする前記手段が液体の染料を含む、付記４６に記載の装置。
［付記５０］前記液体が貯蔵部に貯蔵され、改ざんにより放出される、付記４９に記載の装置。
［付記５１］前記液体は被包材の下に貯蔵される、付記４９または付記５０に記載の装置。
［付記５２］前記太陽電池セルが有機太陽電池セルである、付記１〜５１のいずれか１項に記載の太陽光発電装置。